(57)【要約】      （修正有）【課題】複数のコアネットワークスライスにより共有される無線アクセスネットワークを提供する。【解決手段】無線アクセスネットワークにおける基地局は、複数のコアネットワークスライスのそれぞれのサービス品質要件及び／又は機能（群）に基づいて、無線端末に割り当てるリソースをコアネットワークスライス識別子（ＣＮスライスＩＤ）ごとに管理する制御部を備える。基地局は、リソースに関する制御信号（リソース情報）を無線端末に提供する。【選択図】図５
2019134476.tif 000002
【特許請求の範囲】
【請求項１】
複数のネットワークスライスを有するネットワークに設けられる基地局であって、
ネットワークスライスの識別情報とサービス品質（Ｑｏｓ）パラメータとを含む情報を、上位装置から受信する受信部と、
前記情報に基づいて無線端末にリソースを割り当てる制御部と、を備える
基地局。
【請求項２】
前記リソースは、複数のトラフィックフローに対応するベアラである
請求項１に記載の基地局。
【請求項３】
前記ＱｏＳパラメータは、前記トラフィックフロー毎のＱｏＳパラメータを含む
請求項２に記載の基地局。
【請求項４】
複数のネットワークスライスを有するネットワークに用いられる方法であって、
前記ネットワークに含まれる基地局が、ネットワークスライスの識別情報とサービス品質（ＱｏＳ）パラメータとを含む情報を、上位装置から受信するステップと、
前記基地局が、前記情報に基づいてリソースを無線端末に割り当てるステップと、を備える
方法。
【発明の詳細な説明】
【技術分野】
【０００１】
本開示は、移動通信システムにおいて用いられる基地局に関する。
【背景技術】
【０００２】
近年、移動通信システムの標準化プロジェクトである３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、第５世代（５Ｇ）移動通信システム向けの技術の研究が進められている。５Ｇシステムは、新たなサービス及び新たなユースケースをサポートすることが想定されている。
【０００３】
コアネットワークが多様なサービス／ユースケースをサポートするために、コアネットワークを複数のコアネットワークスライスに分割し、コアネットワークスライスごとに異なるサービス／ユースケースを実現する技術が提案されている（例えば、非特許文献１参照）。このような技術は、「Ｎｅｔｗｏｒｋ  ｓｌｉｃｉｎｇ」と称される。ここで、１つのコアネットワークスライスは、論理的なネットワーク機能の集合からなる。複数のコアネットワークスライスは、１つの無線アクセスネットワークを共有する。
【０００４】
しかしながら、「Ｎｅｔｗｏｒｋ  ｓｌｉｃｉｎｇ」が導入された場合において、無線アクセスネットワークが果たすべき役割については不明確である。
【先行技術文献】
【非特許文献】
【０００５】
【非特許文献１】３ＧＰＰ寄書「Ｒ２−１６２６６４」
【発明の概要】
【０００６】
一実施形態に係るネットワーク装置は、複数のコアネットワークスライスにより共有される無線アクセスネットワークに設けられる。前記ネットワーク装置は、前記複数のコアネットワークスライスのそれぞれのサービス品質要件及び／又は機能に基づいて、無線端末に割り当てるリソースをコアネットワークスライスごとに管理する制御部を備える。前記制御部は、前記リソースに関する制御信号を前記無線端末に提供する。
【図面の簡単な説明】
【０００７】
【図１】移動通信システムの構成を示す図である。
【図２】無線インターフェイスのプロトコルスタックを示す図である。
【図３】無線端末の構成を示す図である。
【図４】基地局の構成を示す図である。
【図５】基地局が管理する情報を示す図である。
【図６】Ｕプレーン（Ｕｓｅｒ  Ｐｌａｎｅ）の構成を示す図である。
【図７】Ｃプレーン（Ｃｏｎｔｒｏｌ  Ｐｌａｎｅ）の構成を示す図である。
【発明を実施するための形態】
【０００８】
実施形態に係る移動通信システムの構成について説明する。実施形態に係る移動通信システムは、３ＧＰＰ規格に基づく５Ｇ移動通信システムである。
【０００９】
図１は、実施形態に係る移動通信システムの構成を示す図である。図１に示すように、実施形態に係る移動通信システムは、無線アクセスネットワーク（ＲＡＮ）１０、複数のコアネットワーク（ＣＮ）スライス２０、及び無線端末１００を備える。無線端末１００は、ＵＥ（Ｕｓｅｒ  Ｅｑｕｉｐｍｅｎｔ）と称されてもよい。ＲＡＮ１０及び複数のＣＮスライス２０は、５Ｇ移動通信システムのネットワークを構成する。
【００１０】
ＲＡＮ１０は、無線端末１００との無線通信を行う基地局２００を含む。ＲＡＮ１０は、基地局２００以外の装置を含んでもよい。実施形態において、基地局２００は、無線アクセスネットワークに設けられるネットワーク装置に相当する。
【００１１】
基地局２００は、１又は複数のセルを管理しており、自セルとの接続を確立した無線端末１００との無線通信を行う。基地局２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、無線端末１００との無線通信を行う機能を示す用語としても用いられる。
【００１２】
複数のＣＮスライス２０は、ＲＡＮ１０を介して無線端末１００にサービスを提供するコアネットワークを構成する。複数のＣＮスライス２０は、異なるサービス／ユースケースを提供する。このようなサービス／ユースケースは、例えば、ｅＭＢＢ（ｅｎｈａｎｃｅｄ  Ｍｏｂｉｌｅ  Ｂｒｏａｄｂａｎｄ、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎｓ）等を含む。図１の例において、ＣＮスライス２０−１はｅＭＢＢを提供し、ＣＮスライス２０−２はｍＭＴＣを提供し、ＣＮスライス２０−３はＵＲＬＬＣを提供してもよい。このように、サービス／ユースケースごとに異なるＣＮスライス２０を用いて多様なサービス／ユースケースを提供することにより、コアネットワークの複雑化を回避し、効率的なネットワークを構成することができる。
【００１３】
複数のＣＮスライス２０は、ＲＡＮ１０を共有する。言い換えると、ＲＡＮ１０は、ＣＮスライス２０ごとに確保された仮想的なリソースを各ＣＮスライス２０に提供する。各ＣＮスライス２０は、論理的なネットワーク機能の集合からなる。ＲＡＮ１０と複数のＣＮスライス２０との間に、ＣＮスライス２０の選択及びルーティングを行う装置が設けられてもよい。
【００１４】
無線端末１００は、移動型の端末である。無線端末１００は、ＲＡＮ１０のセル（サービングセル）との無線通信を行う。無線端末１００は、ＲＡＮ１０からリソースが割り当てられ、ＲＡＮ１０を介して少なくとも１つのＣＮスライス２０との通信を行う。無線端末１００は、複数のＣＮスライス２０と同時に通信を行ってもよい。
【００１５】
図２は、無線インターフェイスのプロトコルスタックを示す図である。ここでは、３ＧＰＰ  ＬＴＥ（Ｌｏｎｇ  Ｔｅｒｍ  Ｅｖｏｌｕｔｉｏｎ）のプロトコルスタックに関して主として説明する。図２に示すように、無線インターフェイスプロトコルは、ＯＳＩ参照モデルの第１層乃至第３層に区分されている。第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００１６】
物理層は、符号化・復号、変調・復調、アンテナマッピング・デマッピング、及びリソースマッピング・デマッピングを行う。無線端末１００の物理層と基地局２００の物理層との間では、物理チャネルを介してデータ及び制御信号が伝送される。
【００１７】
ＭＡＣ層は、データの優先制御、ハイブリッドＡＲＱ（ＨＡＲＱ）による再送処理、及びランダムアクセス手順等を行う。無線端末１００のＭＡＣ層と基地局２００のＭＡＣ層との間では、トランスポートチャネルを介してデータ及び制御信号が伝送される。基地局２００のＭＡＣ層はスケジューラを含む。スケジューラは、上下リンクのトランスポートフォーマット（トランスポートブロックサイズ、変調・符号化方式（ＭＣＳ））及び無線端末１００への割当無線リソースを決定する。
【００１８】
ＲＬＣ層は、ＭＡＣ層及び物理層の機能を利用してデータを受信側のＲＬＣ層に伝送する。無線端末１００のＲＬＣ層と基地局２００のＲＬＣ層との間では、論理チャネルを介してデータ及び制御信号が伝送される。
【００１９】
ＰＤＣＰ層は、ヘッダ圧縮・伸張、及び暗号化・復号化を行う。
【００２０】
ＲＲＣ層は、制御信号を取り扱う制御プレーンでのみ定義される。無線端末１００のＲＲＣ層と基地局２００のＲＲＣ層との間では、各種設定のためのシグナリング（ＲＲＣシグナリング）が伝送される。ＲＲＣ層は、無線ベアラの確立、再確立及び解放に応じて、論理チャネル、トランスポートチャネル、及び物理チャネルを制御する。無線端末１００のＲＲＣと基地局２００のＲＲＣとの間に接続（ＲＲＣ接続）がある場合、無線端末１００はＲＲＣコネクティッドモードである。そうでない場合、無線端末１００はＲＲＣアイドルモードである。
【００２１】
ＲＲＣ層の上位に位置するＮＡＳ層は、セッション管理及びモビリティ管理等を行う。
【００２２】
図３は、無線端末１００の構成を示す図である。図３に示すように、無線端末１００は、受信部１１０、送信部１２０、及び制御部１３０を備える。
【００２３】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００２４】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００２５】
制御部１３０は、無線端末１００における各種の制御を行う。制御部１３０は、プロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含む。ベースバンドプロセッサは、ベースバンド信号の変調・復調及び符号化・復号等を行う。ＣＰＵは、メモリに記憶されるプログラムを実行して各種の処理を行う。プロセッサは、音声・映像信号の符号化・復号を行うコーデックを含んでもよい。プロセッサは、上述した各種の処理及び後述する各種の処理を実行する。
【００２６】
図４は、基地局２００の構成を示す図である。図４に示すように、基地局２００は、送信部２１０、受信部２２０、制御部２３０、及びバックホール通信部２４０を備える。
【００２７】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００２８】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２９】
制御部２３０は、基地局２００における各種の制御を行う。制御部２３０は、プロセッサ及びメモリを含む。メモリは、プロセッサにより実行されるプログラム、及びプロセッサによる処理に用いられる情報を記憶する。プロセッサは、ベースバンドプロセッサと、ＣＰＵと、を含む。ベースバンドプロセッサは、ベースバンド信号の変調・復調及び符号化・復号等を行う。ＣＵＰは、メモリに記憶されるプログラムを実行して各種の処理を行う。プロセッサは、上述した各種の処理及び後述する各種の処理を実行する。
【００３０】
バックホール通信部２４０は、ネットワークインターフェイスを介して複数のＣＮスライス２０と接続される。バックホール通信部２４０は、ＣＮスライス２０との通信に用いられる。バックホール通信部２４０は、ネットワークインターフェイスを介して隣接基地局と接続されてもよい。
【００３１】
制御部２３０、送信部２１０、受信部２２０のうち一部の機能が別ユニットに配置されていてもよく、この場合、当該ユニットと基地局２００の間はフロントホール通信によって接続される。
【００３２】
実施形態において、基地局２００は、複数のＣＮスライス２０により共有されるＲＡＮ１０に設けられる。基地局２００（制御部２３０）は、複数のＣＮスライス２０のそれぞれのサービス品質要件及び／又は機能に基づいて、無線端末１００に割り当てるリソースをＣＮスライス２０ごとに管理する。
【００３３】
図５は、基地局２００（制御部２３０）が管理する情報を示す図である。図５に示す情報の少なくとも一部は、ＣＮスライス２０から基地局２００に提供されてもよい。図５に示すように、ＣＮスライス２０ごとに、識別子（ＣＮスライスＩＤ）と、サービス品質要件と、機能（群）と、リソースと、が割り当てられている。
【００３４】
サービス品質要件は、対応するＣＮスライス２０に要求されるサービス品質（ＱｏＳ）を含む。サービス品質要件とは、当該ＣＮスライス２０が提供するサービス／ユースケースに要求されるＱｏＳであってもよい。ＱｏＳは、遅延、スループット、信頼性等を含む。サービス品質要件は、ＱｏＳのインデックス値であるＱＣＩ（ＱｏＳ  Ｃｌａｓｓ  Ｉｄｅｎｔｉｆｉｅｒ）により識別されてもよい。サービス品質要件は、当該ＣＮスライス２０に対応するユースケースを含んでもよい。
【００３５】
機能（群）とは、対応するＣＮスライス２０に要求される機能（群）である。当該機能は、当該ＣＮスライス２０が提供するサービス／ユースケースに要求される機能である。例えば、機能は、ｅＤＲＸ（ｅｘｔｅｎｄｅｄ  Ｄｉｓｃｏｎｔｉｎｕｅｓ  Ｒｅｃｅｐｔｉｏｎ）、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）、Ｄ２Ｄ（Ｄｅｖｉｃｅ  ｔｏ  Ｄｅｖｉｃｅ）等である。ＣＮスライス２０ごとに必須となる機能が予め定義されていてもよい。ＣＮスライス２０ごとに必須となる機能が予め定義されている場合、無線端末１００は、どのＣＮスライスをサポートするかをＣａｐａｂｉｌｉｔｙとしてＲＡＮ１０（基地局２００）に通知してもよい。基地局２００は、必要となるＣＮスライス２０のＩＤを用いて、対応する機能を無線端末１００に設定してもよい。
【００３６】
リソースとは、ＲＡＮ１０が無線端末１００に割り当てるリソースであって、以下の１）〜３）の何れかを含む。
【００３７】
１）時間及び／又は周波数により定義される無線リソース。時間・周波数リソースは、無線端末１００がサービス／ユースケースを利用する際に用いることが可能な時間・周波数リソース（群）である。時間・周波数リソースは、無線リソースプールのＩＤ、周波数キャリア（コンポーネントキャリア）のＩＤ等により識別されてもよい。
【００３８】
２）複数のＩＰ（Ｉｎｔｅｒｎｅｔ  Ｐｒｏｔｏｃｏｌ）フローからなるベアラ。ベアラは、ＲＡＮ１０を介してＵＥ１００とＣＮスライス２０との間に確立される論理的な通信路であってもよい。ベアラは、無線端末１００のデータを運搬する。ベアラは、ベアラＩＤにより識別されてもよい。
【００３９】
３）無線端末１００との通信を制御する制御エンティティ。制御エンティティとは、Ｃプレーンのエンティティであって、例えばＲＲＣエンティティである。ＲＲＣエンティティは、ＲＲＣシグナリングを無線端末１００に提供する。ＲＲＣエンティティは、ＲＲＣエンティティＩＤにより識別されてもよい。
【００４０】
基地局２００（制御部２３０）は、ＣＮスライス２０ごとに管理されるリソースに関する制御信号（Ｓｉｇｎａｌｉｎｇ）を無線端末１００に提供する。制御信号は、無線端末個別の制御信号（Ｄｅｄｉｃａｔｅｄ  Ｓｉｇｎａｌｉｎｇ）であってもよい。制御信号は、複数の無線端末に共通の制御信号（Ｂｒｏａｄｃａｓｔ  Ｓｉｇｎａｌｉｎｇ）であってもよい。無線端末１００は、基地局２００から提供された制御信号に基づいて基地局２００との無線通信を行う。
【００４１】
第１に、基地局２００は、ＣＮスライス２０ごとのサービス品質要件（ＱｏＳ）に付随する制御信号の提供を行う。例えば、基地局２００は、ＣＮスライスＩＤと当該ＣＮスライスＩＤに対応するＱＣＩ及び／又はユースケースを示す情報とをＵＥ１００に提供する。
【００４２】
第２に、基地局２００は、ＣＮスライス２０ごとの機能に付随する制御信号の提供を行う。例えば、基地局２００は、ＣＮスライスＩＤと当該ＣＮスライスＩＤに対応するｅＤＲＸ用Ｈ−ＳＦＮ（Ｈｙｐｅｒ  Ｓｙｓｔｅｍ  Ｆｒａｍｅ  Ｎｕｍｂｅｒ）、リソースプールＩＤ、コンポーネントキャリアＩＤ等とをＵＥ１００に提供する。
【００４３】
或いは、基地局２００は、ＣＮスライスＩＤを直接ＵＥ１００に提供せずに、ＣＮスライスＩＤに対応するベアラＩＤ／ＲＲＣエンティティＩＤを、ＣＮスライスＩＤに代えてＵＥ１００に提供してもよい。基地局２００は、ＣＮスライスＩＤとベアラＩＤ／ＲＲＣエンティティＩＤとの対応関係を示す情報をＵＥ１００に提供してもよい。
【００４４】
共通の制御信号（Ｂｒｏａｄｃａｓｔ  Ｓｉｇｎａｌｉｎｇ）は、複数の報知情報から構成されてもよく、当該複数の報知情報において、対応するＣＮスライスＩＤが紐付いていてもよく、当該ＣＮスライスＩＤが該当する報知情報とともに通知されてもよい。例えば、ＣＮスライスに固有の無線構成情報やアクセス規制情報が、それぞれ対応するＣＮスライスＩＤと紐付いている。具体的には、基地局２００は、ＣＮスライス２０−１用の報知情報１、ＣＮスライス２０−２用の報知情報２、ＣＮスライス２０−２用の報知情報３、…を無線端末１００に送信する。これにより、無線端末１００は、必要となるＣＮスライスに対応した報知情報を自身に設定できる。
【００４５】
次に、実施形態に係るＵプレーン（Ｕｓｅｒ  Ｐｌａｎｅ）の構成について説明する。図６は、実施形態に係るＵプレーンの構成を示す図である。
【００４６】
図６に示すように、基地局２００は、１つのＣＮスライス２０に複数のベアラを対応付けるとともに、１つのベアラに複数のＩＰフローを対応付ける。言い換えると、基地局２００は、複数のＩＰフローを１つのベアラにグループ化し、複数のベアラを１つのＣＮスライス２０にグループ化する。基地局２００は、ＩＰフローごとのＱｏＳ制御及びベアラごとのＱｏＳ制御を行ってもよい。基地局２００は、ＩＰフローとベアラとＣＮスライスとの対応関係を示すマッピング情報を無線端末１００に設定してもよい。基地局２００は、ＩＰフローごと又はベアラごとに、ＰＤＣＰ設定、ＲＬＣ設定、論理チャネル（ＬＣ）ＩＤをＵＥ１００に提供してもよい。
【００４７】
基地局２００は、ベアラごとのＱｏＳパラメータの設定（ＱｏＳ設定）を無線端末１００に対して行う。すなわち、基地局２００は、複数のＩＰフローを束ねたベアラ単位でＱｏＳ設定を行う。例えば、基地局２００は、ベアラごとのＱｏＳ設定を含む制御信号を無線端末１００に送信する。ＱｏＳ設定は、ＬＣＰ（Ｌｏｇｉｃａｌ  Ｃｈａｎｎｅｌ  Ｐｒｉｏｒｉｔｉｚａｔｉｏｎ）パラメータであってもよい。基地局２００は、ＣＮスライス２０ごとに必要となる機能の設定（ｅＤＲＸ等）を同時に行ってもよい。
【００４８】
無線端末１００（及び基地局２００）は、ＩＰフローベースのＱｏＳと束ねられたＱｏＳ（ベアラベースのＱｏＳ）とが設定された場合、束ねられたＱｏＳが最低限保証されると認識してもよい。或いは、ＩＰフローベースＱｏＳがベアラベースＱｏＳよりも優先されてもよい。複数のＩＰフローベースＱｏＳが設定された場合、無線端末１００（及び基地局２００）は、その中で最もビットレートが高いものを、当該複数のＩＰフローの代表ＱｏＳ設定として、当該代表ＱｏＳ設定を最低限満たすように制御してもよい。
【００４９】
次に、実施形態に係るＣプレーン（Ｃｏｎｔｒｏｌ  Ｐｌａｎｅ）の構成について説明する。図７は、実施形態に係るＣプレーンの構成を示す図である。
【００５０】
図７に示すように、ＲＡＮ１０（基地局２００）は、ＣＮスライス２０ごとに確保されたサブＲＲＣエンティティ１１を有する。ＲＡＮ１０は、複数のサブＲＲＣエンティティ１１よりも上位に位置付けられるメインＲＲＣエンティティ１２をさらに有してもよい。メインＲＲＣエンティティ１２は、複数のサブＲＲＣエンティティ１１を管理する。
【００５１】
各ＲＲＣエンティティ（複数のサブＲＲＣエンティティ１１及びメインＲＲＣエンティティ１２）に優先度が割り振られていてもよい。例えば、ＲＡＮ１０（基地局２００）は、優先度の高いＲＲＣエンティティからＵＥ１００にシグナリングを行う場合に、優先度の低いＲＲＣエンティティに対して割り込み処理を行うことができてもよい。ＲＲＣエンティティごとに不活性期間／活性期間が設けられてもよい。ＲＲＣエンティティは、不活性期間において動作を休止する。
【００５２】
メインＲＲＣエンティティ１２は、全サブＲＲＣエンティティ１１に関する全体的な設定を行う。各サブＲＲＣエンティティ１１は、ＣＮスライス２０に対応する機能及び／又はＣＮスライス２０に対応するベアラ／ＩＰフローに関する個別の設定を行う。
【００５３】
メインＲＲＣエンティティ１２は、メインＲＲＣエンティティ１２自身の設定（セル全体の設定）として、以下の設定のうち少なくとも１つを行う。メインＲＲＣエンティティ１２は、以下の設定のうち少なくとも１つのシグナリング（Ｄｅｄｉｃａｔｅｄ  Ｓｉｇｎａｌｉｎｇ又はＢｒｏａｄｃａｓｔ  Ｓｉｇｎａｌｉｎｇ）をＵＥ１００に送信してもよい。
【００５４】
・システム設定（帯域幅、ＳＦＮ、セルＩＤ、トラッキングエリアコード等）
・測定報告関連
・セル再選択関連（サービングセル、隣接セル、別ＲＡＴ）
・アクセス規制関連
・ページング設定
・子ＲＲＣ（サブＲＲＣエンティティ１１）の設定
・子ＲＲＣ（サブＲＲＣエンティティ１１）のＩＤ
・ＰＬＭＮ  ＩＤ
・ＣＮスライスＩＤ
・優先度（処理優先度）
・機能（各サブＲＲＣエンティティ１１に担当させる機能）
・ＩＰフローＩＤ／ベアラＩＤ（各サブＲＲＣエンティティ１１に担当させるＵプレーン）
・無線リソース（各サブＲＲＣエンティティ１１に担当させる無線リソース、又はシグナリング用の無線リソース）
【００５５】
各サブＲＲＣエンティティ１１は、以下の設定のうち少なくとも１つを行う。メインＲＲＣエンティティ１２は、以下の設定のうち少なくとも１つのシグナリング（Ｄｅｄｉｃａｔｅｄ  Ｓｉｇｎａｌｉｎｇ又はＢｒｏａｄｃａｓｔ  Ｓｉｇｎａｌｉｎｇ）をＵＥ１００に送信してもよい。但し、以下の設定のうち少なくとも１つがメインＲＲＣエンティティ１２により行われてもよい。
【００５６】
・機能毎の設定（例えば、Ｄ２Ｄ、ＭＢＭＳ等）
・ＩＰフロー／ベアラ毎の設定（ＰＤＣＰ、ＲＬＣ）
・ＭＡＣ設定（ＬＣＰ、ＤＲＸ等）
【００５７】
このように、実施形態に係る基地局２００によれば、ＣＮスライス２０ごとに適切なＱｏＳ制御を行い、各ＣＮスライス２０のサービス品質を保証することができる。
【００５８】
上述した実施形態において、本開示に係るネットワーク装置が基地局２００である一例を説明した。しかしながら、本開示に係るネットワーク装置は基地局２００とは異なるネットワーク装置（例えば、基地局制御装置）であってもよい。
【００５９】
日本国特許出願第２０１６−１０５１６７号（２０１６年５月２６日出願）の全内容が、参照により、本願明細書に組み込まれている。
【産業上の利用可能性】
【００６０】
本開示は移動通信分野において有用である。
【図１】
2019134476.tif 000003
【図２】
2019134476.tif 000004
【図３】
2019134476.tif 000005
【図４】
2019134476.tif 000006
【図５】
2019134476.tif 000007
【図６】
2019134476.tif 000008
【図７】
2019134476.tif 000009